(57)【要約】【課題】  格納や搬送がし易く、使用目的に応じて縦方向の長さを変えたり、高さを変えたり、寸法の変更が可能な組み立て式ベッドを提供する。【解決手段】  ベッド本体６の幅方向両側に取り付けられ、該ベッド本体６下面から起立させた起立状態と、該ベッド本体６下面に沿うようにして折り畳まれた折り畳み状態とを自在に切り換えできるようになっている脚７とを有している複数の小ベッド２・・２（２−１，２−２・・）を、連結部品３を用いて分離可能に連結することにより連結形ベッド１とする。【選択図】図１
2005080699.tif 000002
【特許請求の範囲】
【請求項１】
隣り合う小ベッドを、連結部品を用いて分離可能に連結し、複数の小ベッドを一列に連結した構造であることを特徴とする連結形ベッド。
【請求項２】
前記小ベッドは、ベッド本体と、このベッド本体の幅方向両側に取り付けられ、該ベッド本体下面から起立させた起立状態と、該ベッド本体下面に沿うようにして折り畳まれた折り畳み状態とを自在に切り換えできるようになっている脚とを有していることを特徴とする請求項１記載の連結形ベッド。
【請求項３】
前記連結部品は、隣り合う小ベッドの脚同士を固定するものであることを特徴とする請求項２記載の連結形ベッド。
【請求項４】
前記小ベッドの脚は、該小ベッドを複数連結して構成される連結形ベッドの縦方向に沿って延在し、かつ、頭側端部と足側端部とに、前記連結部品によって別の小ベッドの脚と固定される連結固定部を有するものであり、隣り合う小ベッドが、一方の小ベッドの脚の足側端部の連結固定部と他方の小ベッドの脚の頭側端部の連結固定部とを前記連結部品で固定することで連結されていることを特徴とする請求項２または3記載の連結形ベッド。
【請求項５】
前記小ベッドの脚は、全ての小ベッドの脚を折り畳み状態とすることで、床上に安定設置できるローベッドとして使用できることを特徴とする請求項２から４の何れかに記載の連結形ベッド。
【請求項６】
前記小ベッドの脚は、起立状態とすることでハ字形に開脚されるようになっていることを特徴とする請求項２から５の何れかに記載の連結形ベッド。
【請求項７】
前記小ベッドの脚は、頭側脚と足側脚とを下端部で連結する脚下連結部を更に有するものであり、隣り合う小ベッドが、一方の小ベッドの脚の脚下連結部の足側端突部と他方の小ベッドの脚の脚下連結部の頭側端突部とを位置決めする下方位置決め部品による位置決めと、一方の小ベッドの縦枠の足側端部と他方の小ベッドの縦枠の頭側端部とを位置決めする上方位置決め部品による位置決めとがなされた状態で連結されていることを特徴とする請求項４から６の何れかに記載の連結形ベッド。
【発明の詳細な説明】
【技術分野】
【０００１】
本発明は、構造が簡単で、大きさを自由に変えられる組み立て式ベッドに関する。
【背景技術】
【０００２】
従来のベッドとしては、枠状のフレームの上にマットレスを設置するものが一般的であるが、このような構造の従来型のベッドは、組み立てや構成部材の運搬に手間が掛かる。特に、縦方向全長にわたって延在する主フレーム部材は、サイズが大きく搬送性が悪い。また、一般の家屋では、ベッドの撤去時に主フレーム部材の収容スペースに苦慮するといた不満がある。このような、搬送性や収納性についての不満に鑑みて、離間した一対の縦枠に帆布などの屈曲性と抗張力を有するシート材を張り渡し、運搬や格納など使用しないときはコンパクトに折り畳むことを可能としたベッドが種々提案されている（特許文献１から４参照）。
【０００３】
また、載置部材に起伏自在に設けられた第１の可動脚と第２の可動脚とをばね部材によって起立方向に付勢するとともに、これら可動脚をガススプリングによってほぼ水平に倒伏した状態から起立方向へ付勢できるようにしたものも提案されている（特許文献５参照）。
【特許文献１】特公平７−３６７８６号公報
【特許文献２】特開平９−８４６６３号公報
【特許文献３】特開平８−２９９１１２号公報
【特許文献４】登録実用新案第３０３６９７８号公報
【特許文献５】特開平１１−３４６８７６号公報
【発明の開示】
【発明が解決しようとする課題】
【０００４】
しかしながら、上記組み立て式ベッドは、折り畳んでもコンパクト化に限界があり、一般の家屋では収納に不便であるし、折り畳んでも、総重量が変わる訳ではないから、搬送性の向上も充分ではない。また、搬送性、収納性に鑑みて、軽量かつ簡易な構造のものも存在するが、使用時の安定性が悪い、寝心地が悪いなど、ベッドとして十分な性能が得られない。
【０００５】
また、折り畳み可能とは言っても、ベッドの縦方向の寸法、すなわち、使用時のベッドの長さ方向の寸法を変えることはできず、汎用性に乏しいといった問題もある。たとえば、子供用ベッドと大人用ベッドとの切り換えや、子供の成長に合わせて徐々に大きく（縦方向の寸法を長く）するといったことは出来ない。このため、ベッドは、使用者の体格等に応じて買い換えなどが必要であり、不経済であった。
【０００６】
本発明は、上記の事情に基づきなされたものであり、その目的とするところは、ベッドとしての性能が充分に確保でき、格納や搬送がし易く、しかも、使用者の要望（使用目的）に応じて縦方向の長さを変えたり、高さを変えたり、寸法の変更が可能な組み立て式ベッドを提供することを目的とする。また、本発明の他の目的は、寸法の変更が可能であっても、使用時の安定性が良好な組み立て式ベッドを提供することにある。
【課題を解決するための手段】
【０００７】
本発明は、隣り合う小ベッドを、連結部品を用いて分離可能に連結し、複数の小ベッドを一列に連結した構造の連結形ベッドであることを特徴とする。ここで、小ベッドとは、組み立て式の最小単位となるベッドを言い、この小ベッドが複数一列に連結することにより連結形ベッドとなることは勿論のこと、この小ベッドが一つでもベッドとして使用できるものである。したがって、本発明で言う連結形ベッドは、小ベッドが他の小ベッドと連結部品を用いて複数一列に連結された構造のものの他、この小ベッドが他の小ベッドと連結されずに単独である場合のものも言う。これにより、小ベッドの連結する設置数で、縦方向寸法が自在に変えられる。勿論、複数の小ベッドに分解することも出来る。したがって、ベビー用ベッド、子供用ベッド、大人用ベッド、さらには長身用サイズのベッドにも自在に対応することが出来る。
【０００８】
また、他の発明は、上述の連結形ベッドの発明に加えて、前記小ベッドは、ベッド本体と、このベッド本体の幅方向両側に取り付けられ、該ベッド本体下面から起立させた起立状態と、該ベッド本体下面に沿うようにして折り畳まれた折り畳み状態とを自在に切り換えできるようになっている脚とを有していることを特徴とする。これにより、高さ寸法が小さく変えられ、格納性が良好なものである。また、簡単にローベッドに切り換えることができると共に、ローベッドから通常のベッドにすることも簡単に行なえる。さらに、持ち運び搬送も容易に行なうことが出来る。
【０００９】
また、他の発明は、上述の折り畳み自在な脚を有する連結形ベッドの発明に加えて更に、前記連結部品は、隣り合う小ベッドの脚同士を固定するものであることを特徴とする。これにより、組み立て時の安定性が良好なものである。
【００１０】
また、他の発明は、上述の折り畳み自在な脚を有する連結形ベッドの各発明に加えて更に、前記小ベッドの脚は、該小ベッドを複数連結して構成される連結形ベッドの縦方向に沿って延在し、かつ、頭側端部と足側端部とに、前記連結部品によって別の小ベッドの脚と固定される連結固定部を有するものであり、隣り合う小ベッドが、一方の小ベッドの脚の足側端部の連結固定部と他方の小ベッドの脚の頭側端部の連結固定部とを前記連結部品で固定することで連結されていることを特徴とする。これにより、一つの小ベッドの脚に集中して負荷が掛かることなく、隣り合う他の小ベッドの脚へ負荷を分散させることが出来る。したがって、小ベッドの脚の起立状態を維持し、小ベッドの脚の耐久性が向上するものとなる。
【００１１】
また、他の発明は、上述の折り畳み自在な脚を有する連結形ベッドの各発明に加えて更に、前記小ベッドの脚は、全ての小ベッドの脚を折り畳み状態とすることで、床上に安定設置できるローベッドとして使用できることを特徴とする。
【００１２】
また、他の発明は、上述の折り畳み自在な脚を有する連結形ベッドの各発明に加えて更に、前記小ベッドの脚は、起立状態とすることでハ字形に開脚されるようになっていることを特徴とする。これにより、小ベッドを最も安定した状態で維持することが出来る。
【００１３】
さらに、他の発明は、上述の脚同士を連結する連結形ベッドの各発明に加えて更に、前記小ベッドの脚は、頭側脚と足側脚とを下端部で連結する脚下連結部を更に有するものであり、隣り合う小ベッドが、一方の小ベッドの脚の脚下連結部の足側端突部と他方の小ベッドの脚の脚下連結部の頭側端突部とを位置決めする下方位置決め部品による位置決めと、一方の小ベッドの縦枠の足側端部と他方の小ベッドの縦枠の頭側端部とを位置決めする上方位置決め部品による位置決めとがなされた状態で連結されていることを特徴とする。これにより、脚下連結部の端突部同士の下方位置決め部品を介した連結と、小ベッドの縦枠の端部同士の上方位置決め部品を介した連結とにより枠状構造が形成され、安定な連結が実現されることとなる。
【発明の効果】
【００１４】
以上のように本発明の連結形ベッドによれば、格納や搬送がし易く、使用目的に応じて縦方向の長さや高さといった寸法を変更することが出来る。したがって、子供の成長や、使用者に応じて、所望の連結形ベッドとすることが出来る。また、本発明の連結形ベッドは、寸法の変更が可能な複数の小ベッドから構成されるものであるにも拘らず、使用時の安定性が良好なものとすることが出来る。しかも、本発明の連結形ベッドは、寝心地が良く、ベッドとしての性能も充分に確保することが出来る。さらに、本発明の連結形ベッドは、連結した小ベッドの位置を定期的に換えることで、特定の小ベッドだけが著しく傷んでしまうことを防ぐことが出来る。
【発明を実施するための最良の形態】
【００１５】
以下、本発明の一例について図面に基づき説明する。図１は、本発明に係る連結可能な小ベッド（以下、「連結形ベッド」と称する場合がある）と、この小ベッドを隣り合う小ベッドと連結するための連結部材を示すものであって、隣り合う小ベッドがあると仮定して連結部材により連結した状態を示す斜視図である。また、図２は、この小ベッドの脚が起立した状態の正面を表す正面図であり、図３は、この小ベッドの脚が起立した状態の側面を表す側面図であり、図４は、この小ベッドの脚が折り畳まれた状態の底面を表す底面図である。
【００１６】
本発明に係る連結形ベッド１は、図１に示すように、互いに隣り合う小ベッド２，２（２−１，２−２）と、この隣り合う小ベッド同士を一列に連結する連結部材３とから構成される。そして、この隣り合う小ベッド２−１，２−２は、連結部品３により分離可能に連結されている。
尚、本発明に係る連結形ベッド１においては、隣り合う小ベッド２，２が連結されている状態において、長手方向（図１０、１１の左右方向）を縦方向と定義し、短手方向（縦方向に直交する方向。図１０、１１においては紙面奥行方向）を幅方向と定義している。
【００１７】
小ベッド２は、ベッド本体６と、このベッド本体６下面に設けられた脚７とからなる。
ベッド本体６は、ここでは木製の天板である。以下、ベッド本体６を、「天板」と称する場合がある。
なお、ベッド本体６は、これに限定されず、たとえばマットを搭載したものなども勿論採用可能である。このマット搭載形の場合は、マットを木枠等の枠体で囲んで一体化した構造などを採用できる。
【００１８】
また、ベッド本体６は、図２から４に示すように、下面側幅方向に沿う横枠２０と、下面側長さ方向に沿う縦枠２１とを具備する。
横枠２０は、頭側に設けられた頭側横枠２０ａと足側に設けられた足側横枠２０ｂとからなる。
縦枠２１は、幅方向各両端側にそれぞれ設けられている。この縦枠２１の両端部、すなわち頭側端部２１ａ及び足側端部２１ｂには、何れも後述するジョイント部品４を取付けるための凹状をしたジョイントピン挿入孔１１（１１ａ，１１ｂ）がそれぞれ設けられている。
そして、頭側横枠２０ａと足側横枠２０ｂの幅方向各端部に、この縦枠２１，２１をそれぞれ取り付けることにより枠状のフレームを形成する。
したがって、ベッド本体６は、天板だけではなく、枠状のフレームを有している。
【００１９】
また、横枠２０の長さ方向端部側下方には、脚固定ストッパ１８が設けられている（図４、図１２〜１４参照）。
図１４におけるように、この脚固定ストッパ１８は、横枠２０に固定されるストッパ固定部６９と、ストッパ固定部６９と一体であり、直方体状で、両側面部に孔部６１が形成され、背面部に孔部６２が形成されたストッパハウジング部６３と、ストッパハウジング部６３内に位置し、ストッパハウジング部６３の両側面部の孔部６１から突出するストッパ係合部６４、ストッパ係合部６４を支持するストッパ係合部支持部６５、および、ストッパ係合部支持部６５に連なる手動操作部６６と、を備えている。また、ストッパ係合部６４は、ストッパ係合部支持部６５に外挿されたバネ６８により、孔部６１内を移動可能な状態で、脚７側に押し付けられている。
脚７を折り畳み状態から起立状態とする際、脚７に設けられている突出部６７は、脚固定ストッパ１８のストッパ係合部６４を乗り越えつつ移動して、脚７が起立状態となる。脚７が起立状態となった際、誤って、脚７が折り畳み状態にされようとしても、ストッパ係合部６４が、脚７に設けられている突出部６７に係合することにより、脚７が折り畳まれることを防止している。また、脚７を折り畳みたい場合には、脚固定ストッパ１８の手動操作部６６を、ストッパハウジング部６３から引き出す方向に移動させることにより、ストッパ係合部６４がストッパハウジング部６３内を移動して、脚７に設けられている突出部６７と係合することはなくなって、脚７を折り畳むことができる。
なお、脚固定ストッパ１８は、ここでは横枠２０の長さ方向何れか一方の端部側下方に設けられている。
【００２０】
脚７は、支脚８と脚下連結部９とから構成されている（図３及び図４参照）。
支脚８は、ベッド本体６の下面より延在する棒状体であり、一端側が、く字状に曲がって、回転軸１４を介して回動自在に横枠２０に取り付けられている。
脚下連結部９は、一端側が横枠２０に取り付けられた支脚８の他端側に取り付けられるものであり、頭側の横枠２０ａに取り付けられた頭側支脚８ａの他端と足側の横枠２０ｂに取り付けられた足側支脚８ｂの他端とを、互いに連結する。即ち、脚下連結部９は、頭側支脚８ａと足側支脚８ｂの先端同士を連結するものである。
そして、この脚７は、ベッド本体６に具備された頭側横枠２０ａ及び足側横枠２０ｂの幅方向両側にそれぞれ取付けられている（図４参照）。
【００２１】
これにより、脚７は、ベッド本体６に具備された横枠２０（２０ａ，２０ｂ）の幅方向両端側において、それぞれ回転軸１４，１４を介してベッド本体６の下面から起立させた起立状態と、該ベッド本体６の下面に沿うようにして折り畳まれた折り畳み状態とを自在に切り換えできるように取り付けられている（図2参照）。即ち、脚７は、回転軸１４を中心とする、縦方向に沿った軸線回りの回転により、起立したり、折り畳んだりすることができる。
しかも、脚７は、折り畳み状態とすることで、後述するローベッドとして使用したり、不要時に格納したり、または必要な箇所へ搬送したりすることが出来る。
【００２２】
また、脚下連結部９の頭側へ突出する頭側端突部９ａ及び足側へ突出する足側端突部９ｂには、何れも後述するジョイント部品５を取付けるための凹状をしたジョイントピン挿入孔１２（１２ａ，１２ｂ）がそれぞれ設けられている。
【００２３】
また、縦枠２１及び脚下連結部９には、弾性を有する部材よりなる接地部１７ａ，１７ｂが形成されている。
縦枠２１に形成された接地部１７ａは、下方を向いており、脚下連結部９部分に形成された接地部１７ｂは、脚下連結部９の周囲を被覆するよう巻き付いた状態となっている。
そして、縦枠２１に設けられた接地部１７ａは、下方に突出する突起状であり、脚７を折り畳んでローベッドとして使用する際（図１１参照）に、脚７が直接床面等に接地しないように保護している。
【００２４】
また、脚７は、小ベッド２を複数連結して構成される連結形ベッド１の縦方向に沿って延在し、かつ、隣接する別の小ベッド２の脚７（支脚８）と固定する際に、連結部品３を取り付ける連結固定部１０が設けられている。隣り合う小ベッドは、一方の小ベッド２の脚７の足側支脚８ｂの連結固定部１０と、他方の小ベッドの脚７の頭側支脚８ａの連結固定部１０とを、連結部品３で固定することで連結される。
具体的には、連結固定部１０は、脚７の支脚８における頭側端部と足側端部とに設けられ、本実施の形態の場合、連結部品３の挿通を可能とする、支脚８を貫通する連結部品挿通穴を言う（図２及び図３参照）。
【００２５】
一方、連結部品３は、図１、図５及び図８に示すように、隣り合って配置された一方の小ベッド２（２−１）と他方の小ベッド２（２−２）とを一体的に連結するボルト３１と、このボルト３１と互いにねじ合わさって締め付け固定するナット３２からなる。
ボルト３１は、操作ノブ３３とねじ棒３４とを有する。
操作ノブ３３は、ボルト３１とナット３２とをねじ合わせる作業において、指で回転操作することが可能な大きさをしている。
ねじ棒３４は、この操作ノブ３３の一方の面に延在し、その外周面に、ナット３２とねじ合わされるねじが切られている。
ナット３２のねじ穴３５には、ボルト３１のねじ棒３４部分が螺合される。
【００２６】
以上のような構成の連結部品３は、工具を用いることなく、手動で連結及び解体（連結解除）することが出来る。
すなわち、ここでは、まずボルト３１のねじ棒３４部分を、互いに隣り合う脚７，７の隣接する一方の支脚８，８に設けた連結固定部としての連結部品挿通穴１０，１０に同時に挿通する。
次いで、ねじ棒３４の先端にナット３２のねじ穴３５をあてがい、ボルト３１の操作ノブ３３もしくはナット３２を指で回転操作する。
これにより、ボルト３１とナット３２とをねじ合わせが簡単に行なえ、互いに隣り合う脚７，７同士を固定することが出来る。
【００２７】
また、図９に示すように、ジョイント部品４，５（上方位置決め部品４、下方位置決め部品５）は、ここでは何れもスペーサ付きのジョイントピンである。以下、ジョイント部品を、「ジョイントピン」と称する場合もある。
ジョイント部品４，５は、スペーサ４１，５１と、挿入固定凸部４２ａ，４２ｂ，５２ａ，５２ｂを有する。
スペーサ４１，５１は、図９に示すように、所定の幅（厚み）を有し、互いに連結するベッド本体６−１，６−２（縦枠２１−１，２１−２）同士の突き当て部分の間、または、互いに連結する脚７−１，７−２（支脚９−１，９−２）同士の突き当て部分の間に介在する。
挿入固定凸部４２ａ，４２ｂ，５２ａ，５２ｂは、スペーサ４１，５１の両側よりそれぞれ延在する所定の長さを有し、ジョイントピン挿入孔１１ａ，１１ｂ，１２ａ，１２ｂにそれぞれ挿入される。
【００２８】
すなわち、図５から７に示すように、隣り合う小ベッド２−１，２−２が、一方の小ベッド２−１の縦枠２１−１の足側端部２１ｂ−１、及び他方の小ベッド２−２の縦枠２１−２の頭側端部２１ａ−２との、足側端部２１ｂ−１と頭側端部２１ａ−２とを位置決めするジョイント部品４を介した突き当て（図６参照）と、一方の小ベッド２−１の脚７−１の脚下連結部９−１の足側端突部９ｂ−１、及び他方の小ベッド２−２の脚７−２の脚下連結部９−２の頭側端突部９ａ−２との、足側端突部９ｂ−１と頭側端突部９ａ−２とを位置決めするジョイント部品５を介した突き当て（図７参照）とを伴って、互いに連結される。
【００２９】
これにより、隣り合う小ベッド２，２は、一方のベッド本体６−１の縦枠２１−１における足側２１ｂ−１と、他方のベッド本体６−２の縦枠２１−２における頭側２１ａ−２とのジョイント部品４を介した突き当てによる上方連結、及び一方のベッド本体６−１の脚７−１の脚下連結部９−１における足側端突部９ｂ−１と、他方のベッド本体６−２の脚７−２の脚下連結部９−２における頭側端突部９ａ−２とのジョイント部品５を介した突き当てによる下方連結により、その間の支脚８−１，８−２同士が離間した強固な枠状構造が形成され、安定な連結が実現されることとなる。
【００３０】
さらに、各支脚８の連結固定部は、ジョイント部品４を介した突き当てによる上方連結部とジョイント部品５を介した突き当てによる下方連結部との中間部分に位置しており、連結部品３を用いて、脚７−１，７−２の支脚８−１，８−２同士を分離可能に連結し固定することで、組み立て時の安定性を良好なものとする。
すなわち、小ベッド２−１、２−２同士の上方連結部及び下方連結部を形成したとき、
脚７−１，７−２の支脚８−１，８−２同士は、互いに離間しているが、この支脚８−１、８−２の連結固定部間を連結部品３を用いて締め付けると、その緊締力（支脚８−１、８−２間を近付けるように作用する）が上下のジョイント部品４及び５部分に掛かり、安定した連結固定が達成される。
【００３１】
したがって、一つの小ベッド２の脚７にかかる負荷は連結された他の脚７に分散され、脚７は、集中的な負荷を避けて破損が抑止されると共に、互いに隣り合う小ベッド２，２同士の横ずれも防止されることとなる。
【００３２】
そして、以上のように構成された小ベッド２は、使用目的に応じて、たとえば以下のように連結（デザイン）して用いることが出来る。
まず、三つの小ベッド２−１，２−２，２−３を一列に並べ、上述したジョイント部品４，５を介在させて隣り合う脚７，７同士を、連結部品３を用いて固定する。
また、頭側の小ベッド２−１に、ヘッドプレート１５を取り付ける。このヘッドプレート１５の小ベッド２−１に対する取り付けは、ベッド本体６に設けられたジョイントピン挿入孔１１を利用する。すなわち、このヘッドプレート１５の下方に設けられた略Ｌ字状をした取付けアーム１６を、ジョイントピン挿入孔１１へ挿入するものとする。
【００３３】
そして、全ての小ベッド２−１，２−２，２−３の脚７を、ベッド本体下面から起立させた起立状態とすることで、図１０に示す第一の連結形ベッド１Ａとして使用することが出来る。
【００３４】
また、連結形ベッド１Ａは、全ての小ベッド２−１，２−２，２−３の脚７を、ベッド本体下面に沿うようにして折り畳まれた折り畳み状態とすることで、図１１に示す第二の連結形ベッド１Ｂに変化させ、床上に安定設置できるローベッドとして使用することが出来る。
この際、小ベッド２−１，２−２，２−３は、それぞれの縦枠２１に設けた接地部１７ａが床上に設置するものとなる。
【００３５】
なお、本発明は上述した実施の形態に限らず、使用者の要望応じて、縦方向の長さの寸法の変更が可能なものである。したがって、たとえば小ベッドの連結数を二つにして子供用ベッドとしたり、小ベッドの連結数を四つ以上にして長身用サイズのベッドとしたりすることが出来る。勿論、小ベッドを連結せず単独で用いてベビー用ベッドとすることも出来る。
【図面の簡単な説明】
【００３６】
【図１】本発明に係る小ベッドを、隣り合うベッドがあると仮定して連結部品により連結した状態を示す斜視図である。
【図２】本発明に係る小ベッドの脚が起立した状態の正面図である。
【図３】本発明に係る小ベッドの脚が起立した状態の側面図である。
【図４】本発明に係る小ベッドの脚が折り畳まれた状態の底面図である。
【図５】本発明に係る小ベッド同士の連結状態を示す部分側面図である。
【図６】［図５］に係るベッド本体同士の連結状態を示す部分拡大側面図である。
【図７】［図５］に係る脚下連結部同士の連結状態を示す部分拡大側面図である。
【図８】本発明に係る小ベッドを連結する連結部品の構成を説明する分解斜視図である。
【図９】本発明に係る小ベッドの連結時に使用するジョイント部品を説明する斜視図である。
【図１０】本発明に係る小ベッドを連結した使用状態を説明する側面図である。
【図１１】本発明に係る小ベッドを連結した他の使用状態を説明する側面図である。
【図１２】本発明に係る脚固定ストッパと折り曲げ状態の脚との関係を示す側面図である。
【図１３】本発明に係る脚固定ストッパと起立状態の脚との関係を示す側面図である。
【図１４】本発明に係る脚固定ストッパを示す詳細図である。
【符号の説明】
【００３７】
１・・・連結形ベッド、
２（２−１，２−２，２−３）・・・小ベッド、
３・・・連結部品、４・・・ジョイント部品（上方位置決め部品）、
５・・・ジョイント部品（下方位置決め部品）、
６（６−１，６−２）・・・ベッド本体（天板）、
７・・・脚、８（８−１，８−２）・・・支脚、
９（９−１，９−２）・・・脚下連結部、９ａ・・・頭側端突部、９ｂ・・・足側端突部、
１０・・・連結固定部（連結部品挿通穴）
１１，１２（１１ａ，１１ｂ，１２ａ，１２ｂ）・・・ジョイントピン挿入孔、
１４・・・回転軸、１５・・・ヘッドプレート、
１７ａ，１７ｂ・・・接地部、１８・・・脚固定ストッパ、
２０・・・横枠、２０ａ・・・頭側横枠、２０ｂ・・・足側横枠、
２１・・・縦枠（２１−１，２１−２）、２１ａ・・・頭側端部、２１ｂ・・・足側端部、
３１・・・ボルト、３２・・・ナット、３３・・・操作ノブ、３４・・・ねじ棒、
３５・・・ねじ穴、４１，５１・・・スペーサ、
４２ａ，４２ｂ，５２ａ，５２ｂ・・・挿入固定凸部。
【図１】
2005080699.tif 000003
【図２】
2005080699.tif 000004
【図３】
2005080699.tif 000005
【図４】
2005080699.tif 000006
【図５】
2005080699.tif 000007
【図６】
2005080699.tif 000008
【図７】
2005080699.tif 000009
【図８】
2005080699.tif 000010
【図９】
2005080699.tif 000011
【図１０】
2005080699.tif 000012
【図１１】
2005080699.tif 000013
【図１２】
2005080699.tif 000014
【図１３】
2005080699.tif 000015
【図１４】
2005080699.tif 000016